(57)【要約】【課題】医療用酸素ボンベの設置場所や、残量を容易に追跡管理することができると共に、医療用酸素ボンベの入替作業を円滑に行なえる医療用酸素ボンベの追跡管理通信システムを提供する。【解決手段】医療用酸素ボンベ２に取付けられるＩＣタグ３と、ＩＣタグ３を読み取るＩＣタグリーダー４と、ＩＣタグリーダー５が読み取った情報を受信自在の携帯電話５と、携帯電話５とインターネットを介して通信自在のセンターサーバー６と、センターサーバー６と通信自在に接続される管理端末８とを備えた医療用酸素ボンベの追跡管理通信システム１であって、携帯電話５は、ＩＣタグリーダー４からの受信情報及び入力情報をセンターサーバー６に送信する手段等を備え、センターサーバー６は、携帯電話５から受信した情報に基づき、トレーサビリティデータベース２１の情報を更新する手段と、更新した情報を管理端末８に送信する手段とを備えている。【選択図】図１
2008276275.tif 000002
【特許請求の範囲】
【請求項１】
医療用酸素ボンベに取付けられるＩＣタグと、前記ＩＣタグを読み取るＩＣタグリーダーと、ＩＣタグリーダーが読み取った情報を受信自在の携帯電話と、前記携帯電話とインターネットを介して通信自在のセンターサーバーと、前記センターサーバーと通信自在に接続され、前記センターサーバーの情報を管理する管理端末とを備えた医療用酸素ボンベの追跡管理通信システムであって、
前記携帯電話は、前記ＩＣタグリーダーから情報を受信する手段と、
操作部を介して情報を入力させる手段と、
受信情報及び入力情報を前記センターサーバーに送信する手段とを備え、
前記センターサーバーは、前記携帯電話からの情報を受信する手段と、
受信した情報に基づき、前記センターサーバーが備えるトレーサビリティデータベースの情報を更新する手段と、
更新した情報を前記管理端末に送信する手段とを備え、
前記管理端末は、前記センターサーバーから情報を受信する手段と、
受信した情報を表示する手段とを備えたことを特徴とする医療用酸素ボンベの追跡管理通信システム。
【請求項２】
前記管理端末は、医療用酸素ボンベの登録情報を作成する手段と、
前記登録情報を前記センターサーバーに送信する手段と、
前記センターサーバーに対し、情報を要求するための要求情報を作成する要求情報作成手段と、
前記要求情報を前記センターサーバーに送信する手段と、
前記センターサーバーから受信した情報を編集する手段と、
前記センターサーバーから受信した情報を更新する手段と、
更新した情報を前記センターサーバーに送信する手段とを備え、
前記センターサーバーは、前記管理端末から前記登録情報を受信すると、受信した登録情報に基づき、前記トレーサビリティデータベースに登録する手段と、
前記管理端末から前記要求情報を受信すると、前記要求情報に基づき、前記トレーサビリティデータベースから情報を抽出する手段と、
抽出した情報を前記管理端末に送信する手段と、
前記管理端末から前記更新した情報を受信すると、受信した情報に基づき、前記トレーサビリティデータベースを更新する手段とを備えていることを特徴とする請求項１記載の医療用酸素ボンベの追跡管理通信システム。
【請求項３】
前記携帯電話は位置情報を取得する手段と、
前記位置情報を前記センターサーバーに送信する手段とを備えたことを特徴とする請求項１又は２記載の医療用酸素ボンベの追跡管理通信システム。
【請求項４】
前記ＩＣタグリーダーは、前記携帯電話に内蔵されていることを特徴とする請求項１乃至３のうちいずれか一に記載の医療用酸素ボンベの追跡管理通信システム。
【請求項５】
前記ＩＣタグに代えて、ＵＨＦ帯ＩＣタグが前記医療用酸素ボンベに取付けられ、それに対応させるため、前記ＩＣタグリーダーに代えて、ＵＨＦ帯ＩＣタグリーダーを備え、更に、前記ＵＨＦ帯ＩＣタグを読み取る読取りゲートが所定の場所に設置され、前記読取りゲートは読取り結果を前記センターサーバーに送信自在に構成されていることを特徴とする請求項１乃至４のうちいずれか一に記載の医療用酸素ボンベの追跡管理通信システム。
【請求項６】
前記医療用酸素ボンベに、内蔵電池を含む電源回路を有する通信モジュールが取り付けられ、前記通信モジュールにはＧＰＳ機能が備えられ、前記通信モジュールは、ＧＰＳ機能によって取得した位置情報を前記センターサーバーに送信自在に構成されていることを特徴とする請求項１乃至５のうちいずれか一に記載の医療用酸素ボンベの追跡管理通信システム。
【請求項７】
医療用酸素ボンベの残量をモニターすると共に、携帯電話通信網に接続自在の医療用酸素ボンベ残量モニターと、前記医療用酸素ボンベ残量モニターと携帯電話通信網を介して通信自在に接続されたセンターサーバーと、前記センターサーバーと通信自在に接続され、前記センターサーバーの情報を管理する管理端末とを備えた医療用酸素ボンベの追跡管理通信システムであって、
前記医療用酸素ボンベ残量モニターは、前記センターサーバーからモニター指示信号を受信する手段と
受信したモニター指示信号に基づき、医療用酸素ボンベの残量をモニターする手段と、
モニターした情報を前記センターサーバーに送信する手段とを備え、
前記センターサーバーは、前記医療用酸素ボンベ残量モニターに対しモニター指示信号を送信する手段と、
前記医療用酸素ボンベ残量モニターからモニターした情報を受信する手段と、
受信した情報に基づき、前記センターサーバーが備えるトレーサビリティデータベースの情報を更新する手段と、
更新した情報を前記管理端末に送信する手段とを備え、
前記管理端末は、前記センターサーバーから情報を受信する手段と、
受信した情報を表示する手段とを備えることを特徴とする医療用酸素ボンベの追跡管理通信システム。
【請求項８】
前記センターサーバーは、スケジュールを作成し、前記トレーサビリティデータベースに登録して管理する手段を備え、前記モニター指示信号を送信する手段は、前記トレーサビリティデータベースに予め登録された前記スケジュールに基づき、モニター指示信号を送信するように構成されていることを特徴とする請求項７記載の医療用酸素ボンベの追跡管理通信システム。
【請求項９】
前記管理端末は、前記センターサーバーに前記医療用酸素ボンベの残量測定を要求する残量測定要求信号を生成する手段と、
前記残量測定要求信号を前記センターサーバーに送信する手段とを備え、
前記センターサーバーは、前記残量測定要求信号を受信する手段を備え、
前記モニター指示信号を送信する手段は、前記残量測定要求信号に基づき、モニター指示信号を送信するように構成されていることを特徴とする請求項７又は８記載の医療用酸素ボンベの追跡管理通信システム。
【請求項１０】
前記管理端末は、医療用酸素ボンベの登録情報を作成する手段と、
前記登録情報を前記センターサーバーに送信する手段と、
前記センターサーバーに対し情報を要求するための要求情報を作成する要求情報作成手段と、
前記要求情報を前記センターサーバーに送信する手段と、
前記センターサーバーから受信した情報を編集する手段と、
前記センターサーバーから受信した情報を更新する手段と、
更新した情報を前記センターサーバーに送信する手段とを備え、
前記センターサーバーは、前記管理端末から前記登録情報を受信すると、受信した登録情報に基づき、前記トレーサビリティデータベースに登録する手段と、
前記管理端末から前記要求情報を受信すると、前記要求情報に基づき、前記トレーサビリティデータベースから情報を抽出する手段と、
抽出した情報を前記管理端末に送信する手段と、
前記管理端末から前記更新した情報を受信すると、受信した情報に基づき、前記トレーサビリティデータベースを更新する手段とを備えていることを特徴とする請求項７乃至９のうちいずれか一に記載の医療用酸素ボンベの追跡管理通信システム。
【請求項１１】
前記医療用酸素ボンベ残量モニターは、位置情報を取得する位置情報取得手段と、
前記位置情報を前記センターサーバーに送信する手段とを備えたことを特徴とする請求項７乃至１０のうちいずれか一に記載の医療用酸素ボンベの追跡管理通信システム。
【請求項１２】
前記センターサーバーは、前記トレーサビリティデータベースに格納する情報をＷｅｂサイトによって提供するＷｅｂサーバー手段を備え、特定の携帯電話に対し前記Ｗｅｂサイトへのアクセスを許可するように構成されていることを特徴とする請求項７乃至１１のうちいずれか一に記載の医療用酸素ボンベの追跡管理通信システム。
【発明の詳細な説明】
【技術分野】
【０００１】
本発明は、医療用酸素（日本薬局方酸素）ボンベの設置場所や、残量等を追跡管理することができる医療用酸素ボンベの追跡管理通信システムに関する。
【背景技術】
【０００２】
医療用酸素ボンベは、病院、救急車内、在宅患者宅等に設置され、医療用酸素ボンベの残量減少時に、適宜ボンベの入替作業が実施される。
医療用酸素ボンベの入替作業は、緊急性を伴うものであり、残量が規定値以下になった場合は、直ちに入替作業が必要となり、そのため、残量を常に監視する必要がある。
更に、残量監視をする場合に、残量監視情報と共に、酸素ボンベ情報としての酸素ボンベ識別情報、顧客情報及び酸素の充填年月日情報等の連絡をすることが極めて煩雑であり、間違いが発生する虞もある。
【０００３】
そこで、例えば、特許文献１は、医療用酸素ボンベの効率的かつ適正な供給、ボンベの安全性の向上、及び、ボンベ管理の負担軽減等を図ることができる医療用酸素ボンベの管理システム及び管理方法が記載されている。
具体的には、ネットワークに接続され医療用酸素ボンベに関する実績情報を格納したサーバーが、当該実績情報に基づいてボンベの患者への供給等についての計画情報を生成して営業所へ送信し、営業所は、当該計画情報から指示情報を生成して業者へ送信し、業者は、当該指示情報に基づいて供給を実施すると共に、実施の結果を実績情報として前記サーバーへ送信するものである。
【特許文献１】特開２００２−３４２４３３号公報
【発明の開示】
【発明が解決しようとする課題】
【０００４】
前述したように、医療用酸素ボンベの入替作業は、緊急性を伴うものであり、残量を常に監視する必要があり、更に、残量監視をする場合に、残量監視情報と共に、酸素ボンベ情報としての酸素ボンベ識別情報、顧客情報及び酸素の充填年月日情報等の連絡をする必要があるが、それらが極めて煩雑であり、間違いが発生する虞もある。
尚、特許文献１は、この問題を解決するものではない。
【０００５】
以上の現状に鑑み、本発明は、医療用酸素ボンベの設置場所や、残量を容易に追跡管理することができると共に、医療用酸素ボンベの入替作業を円滑に行なえる医療用酸素ボンベの追跡管理通信システムを提供することを目的とする。
【課題を解決するための手段】
【０００６】
上記の課題を解決すべく、本発明は以下の構成を提供する。
請求項１に係る発明は、医療用酸素ボンベに取付けられるＩＣタグと、前記ＩＣタグを読み取るＩＣタグリーダーと、ＩＣタグリーダーが読み取った情報を受信自在の携帯電話と、前記携帯電話とインターネットを介して通信自在のセンターサーバーと、前記センターサーバーと通信自在に接続され、前記センターサーバーの情報を管理する管理端末とを備えた医療用酸素ボンベの追跡管理通信システムであって、
前記携帯電話は、前記ＩＣタグリーダーから情報を受信する手段と、
操作部を介して情報を入力させる手段と、
受信情報及び入力情報を前記センターサーバーに送信する手段とを備え、
前記センターサーバーは、前記携帯電話からの情報を受信する手段と、
受信した情報に基づき、前記センターサーバーが備えるトレーサビリティデータベースの情報を更新する手段と、
更新した情報を前記管理端末に送信する手段とを備え、
前記管理端末は、前記センターサーバーから情報を受信する手段と、
受信した情報を表示する手段とを備えたことを特徴とする医療用酸素ボンベの追跡管理通信システムを提供するものである。
【０００７】
請求項２に係る発明は、前記管理端末は、医療用酸素ボンベの登録情報を作成する手段と、
前記登録情報を前記センターサーバーに送信する手段と、
前記センターサーバーに対し、情報を要求するための要求情報を作成する要求情報作成手段と、
前記要求情報を前記センターサーバーに送信する手段と、
前記センターサーバーから受信した情報を編集する手段と、
前記センターサーバーから受信した情報を更新する手段と、
更新した情報を前記センターサーバーに送信する手段とを備え、
前記センターサーバーは、前記管理端末から前記登録情報を受信すると、受信した登録情報に基づき、前記トレーサビリティデータベースに登録する手段と、
前記管理端末から前記要求情報を受信すると、前記要求情報に基づき、前記トレーサビリティデータベースから情報を抽出する手段と、
抽出した情報を前記管理端末に送信する手段と、
前記管理端末から前記更新した情報を受信すると、受信した情報に基づき、前記トレーサビリティデータベースを更新する手段とを備えていることを特徴とする請求項１記載の医療用酸素ボンベの追跡管理通信システムを提供するものである。
【０００８】
請求項３に係る発明は、前記携帯電話は位置情報を取得する手段と、
前記位置情報を前記センターサーバーに送信する手段とを備えたことを特徴とする請求項１又は２記載の医療用酸素ボンベの追跡管理通信システムを提供するものである。
【０００９】
請求項４に係る発明は、前記ＩＣタグリーダーは、前記携帯電話に内蔵されていることを特徴とする請求項１乃至３のうちいずれか一に記載の医療用酸素ボンベの追跡管理通信システムを提供するものである。
【００１０】
請求項５に係る発明は、前記ＩＣタグに代えて、ＵＨＦ帯ＩＣタグが前記医療用酸素ボンベに取付けられ、それに対応させるため、前記ＩＣタグリーダーに代えて、ＵＨＦ帯ＩＣタグリーダーを備え、更に、前記ＵＨＦ帯ＩＣタグを読み取る読取りゲートが所定の場所に設置され、前記読取りゲートは読取り結果を前記センターサーバーに送信自在に構成されていることを特徴とする請求項１乃至４のうちいずれか一に記載の医療用酸素ボンベの追跡管理通信システムを提供するものである。
【００１１】
請求項６に係る発明は、前記医療用酸素ボンベに、内蔵電池を含む電源回路を有する通信モジュールが取り付けられ、前記通信モジュールにはＧＰＳ機能が備えられ、前記通信モジュールは、ＧＰＳ機能によって取得した位置情報を前記センターサーバーに送信自在に構成されていることを特徴とする請求項１乃至５のうちいずれか一に記載の医療用酸素ボンベの追跡管理通信システムを提供するものである。
【００１２】
請求項７に係る発明は、医療用酸素ボンベの残量をモニターすると共に、携帯電話通信網に接続自在の医療用酸素ボンベ残量モニターと、前記医療用酸素ボンベ残量モニターと携帯電話通信網を介して通信自在に接続されたセンターサーバーと、前記センターサーバーと通信自在に接続され、前記センターサーバーの情報を管理する管理端末とを備えた医療用酸素ボンベの追跡管理通信システムであって、
前記医療用酸素ボンベ残量モニターは、前記センターサーバーからモニター指示信号を受信する手段と
受信したモニター指示信号に基づき、医療用酸素ボンベの残量をモニターする手段と、
モニターした情報を前記センターサーバーに送信する手段とを備え、
前記センターサーバーは、前記医療用酸素ボンベ残量モニターに対しモニター指示信号を送信する手段と、
前記医療用酸素ボンベ残量モニターからモニターした情報を受信する手段と、
受信した情報に基づき、前記センターサーバーが備えるトレーサビリティデータベースの情報を更新する手段と、
更新した情報を前記管理端末に送信する手段とを備え、
前記管理端末は、前記センターサーバーから情報を受信する手段と、
受信した情報を表示する手段とを備えることを特徴とする医療用酸素ボンベの追跡管理通信システムを提供するものである。
【００１３】
請求項８に係る発明は、前記センターサーバーは、スケジュールを作成し、前記トレーサビリティデータベースに登録して管理する手段を備え、前記モニター指示信号を送信する手段は、前記トレーサビリティデータベースに予め登録された前記スケジュールに基づき、モニター指示信号を送信するように構成されていることを特徴とする請求項７記載の医療用酸素ボンベの追跡管理通信システムを提供するものである。
【００１４】
請求項９に係る発明は、前記管理端末は、前記センターサーバーに前記医療用酸素ボンベの残量測定を要求する残量測定要求信号を生成する手段と、
前記残量測定要求信号を前記センターサーバーに送信する手段とを備え、
前記センターサーバーは、前記残量測定要求信号を受信する手段を備え、
前記モニター指示信号を送信する手段は、前記残量測定要求信号に基づき、モニター指示信号を送信するように構成されていることを特徴とする請求項７又は８記載の医療用酸素ボンベの追跡管理通信システムを提供するものである。
【００１５】
請求項１０に係る発明は、前記管理端末は、医療用酸素ボンベの登録情報を作成する手段と、
前記登録情報を前記センターサーバーに送信する手段と、
前記センターサーバーに対し情報を要求するための要求情報を作成する要求情報作成手段と、
前記要求情報を前記センターサーバーに送信する手段と、
前記センターサーバーから受信した情報を編集する手段と、
前記センターサーバーから受信した情報を更新する手段と、
更新した情報を前記センターサーバーに送信する手段とを備え、
前記センターサーバーは、前記管理端末から前記登録情報を受信すると、受信した登録情報に基づき、前記トレーサビリティデータベースに登録する手段と、
前記管理端末から前記要求情報を受信すると、前記要求情報に基づき、前記トレーサビリティデータベースから情報を抽出する手段と、
抽出した情報を前記管理端末に送信する手段と、
前記管理端末から前記更新した情報を受信すると、受信した情報に基づき、前記トレーサビリティデータベースを更新する手段とを備えていることを特徴とする請求項５乃至７のうちいずれか一に記載の医療用酸素ボンベの追跡管理通信システムを提供するものである。
【００１６】
請求項１１に係る発明は、前記医療用酸素ボンベ残量モニターは、位置情報を取得する位置情報取得手段と、
前記位置情報を前記センターサーバーに送信する手段とを備えたことを特徴とする請求項７乃至１０のうちいずれか一に記載の医療用酸素ボンベの追跡管理通信システムを提供するものである。
【００１７】
請求項１２に係る発明は、前記センターサーバーは、前記トレーサビリティデータベースに格納する情報をＷｅｂサイトによって提供するＷｅｂサーバー手段を備え、特定の携帯電話に対し前記Ｗｅｂサイトへのアクセスを許可するように構成されていることを特徴とする請求項７乃至１１のうちいずれか一に記載の医療用酸素ボンベの追跡管理通信システムを提供するものである。
【発明の効果】
【００１８】
本発明の請求項１記載の発明によれば、医療用酸素ボンベの設置場所や、残量を容易に追跡管理することができると共に、医療用酸素ボンベの入替作業を円滑に行なえる医療用酸素ボンベの追跡管理通信システムを提供することができる。
【００１９】
請求項２記載の発明によれば、請求項１記載の発明の効果に加え、管理端末によって、センターサーバーのトレーサビリティデータベースに対し、医療用酸素ボンベ情報の登録又は更新を行なえると共に、トレーサビリティデータベースから医療用酸素ボンベ情報を取得して編集することが可能である。
【００２０】
請求項３記載の発明によれば、請求項１又は２記載の発明の効果に加え、医療用酸素ボンベの位置情報を取得し、確認することができる。
【００２１】
請求項４記載の発明によれば、請求項１乃至３のうちいずれか一に記載の発明の効果に加え、ＩＣタグリーダーが携帯電話に内蔵されているので、ＩＣタグリーダーの構成が簡素になり、安価に作成できると共に、携帯性、操作性が格段に向上する。
【００２２】
請求項５記載の発明によれば、請求項１乃至４のうちいずれか一に記載の発明の効果に加え、ＵＨＦ帯ＩＣタグによって、通信距離が長く取れる（例えば、数ｍ）利点がある。又、読取りゲートの利用も可能となり、読取り結果を迅速且つ容易にセンターサーバーに送信できる。
【００２３】
請求項６記載の発明によれば、請求項１乃至５のうちいずれか一に記載の発明の効果に加え、ＧＰＳ機能が備えられた通信モジュールから送信される位置情報によってセンターサーバー側で、医療用酸素ボンベの位置を把握し、追跡管理することができ、又、医療用酸素ボンベの盗難等も防止することができる。
【００２４】
請求項７記載の発明によれば、医療用酸素ボンベの設置場所や、残量を容易に追跡管理することができると共に、医療用酸素ボンベの入替作業を円滑に行なえる医療用酸素ボンベの追跡管理通信システムを提供することができる。
【００２５】
請求項８記載の発明によれば、請求項７記載の発明の効果に加え、スケジュールに基づき、医療用酸素ボンベの残量監視を行なうことができる。
【００２６】
請求項９記載の発明によれば、請求項７又は８記載の発明の効果に加え、管理端末から医療用酸素ボンベの残量測定を要求してその結果を得ることができる。
【００２７】
請求項１０記載の発明によれば、請求項７乃至９のうちいずれか一に記載の発明の効果に加え、管理端末によって、センターサーバーのトレーサビリティデータベースに対し、医療用酸素ボンベ情報の登録又は更新を行なえると共に、トレーサビリティデータベースから医療用酸素ボンベ情報を取得して編集することが可能である。
【００２８】
請求項１１記載の発明によれば、請求項７乃至１０のうちいずれか一に記載の発明の効果に加え、医療用酸素ボンベ残量モニター位置情報をセンターサーバーに送信することが可能になる。
【００２９】
請求項１２記載の発明によれば、請求項７乃至１１のうちいずれか一に記載の発明の効果に加え、許可された特定の携帯電話によって、トレーサビリティデータベースに格納する情報をＷｅｂサイトを介して閲覧することができる。
【発明を実施するための最良の形態】
【００３０】
以下、実施例を示した図面を参照しつつ本発明の実施の形態を説明する。
図１に於いて、１は、本発明の第１実施例の医療用酸素（日本薬局方酸素）ボンベの追跡管理通信システムであり、医療用酸素ボンベの追跡管理通信システム１は、医療用酸素ボンベ２に取付けられるＩＣタグ３と、ＩＣタグ３を読み取るＩＣタグリーダー４と、ＩＣタグリーダー４が読み取った情報を受信自在の携帯電話５と、携帯電話５とインターネットを介して通信自在のセンターサーバー６と、センターサーバー６と専用線７を介して通信自在に接続され、センターサーバー６の情報を管理する管理端末８とを備えている。
【００３１】
前記ＩＣタグ３は、国際標準規格であるＩＳＯ／ＩＥＣ１５６９３に準拠したパッシブ型ＩＣタグ（１３．５６ＭＨｚ）であり、書込容量は５００バイト、又は、１０００バイトのものが用いられる。通信距離は数ｃｍである。
【００３２】
又、前記ＩＣタグ３は医療用酸素ボンベ２の金属製の筐体に取付けるため、電波の反射を考慮して、金属製品上に直接取付けても読み書きできる「オンメタル」又は金属対応のＩＣタグが好適である。若しくは、前記ＩＣタグ３に代えてシール状のＩＣタグ１１を医療用酸素ボンベ２に取付けても良い。
【００３３】
前記ＩＣタグリーダー４は、携帯電話接続型小型ＩＣタグリーダーであり、読み取ったデータはブルーツース（Ｂｌｕｅｔｏｏｔｈ）によって携帯電話５に無線転送される。
【００３４】
又、前記ＩＣタグリーダー４と前記携帯電話５との代わりに、ＩＣタグリーダーが携帯電話に内蔵された構造のＩＣタグリーダー内蔵携帯電話（図示せず）を用いても良い。
【００３５】
前記センターサーバー６は、医療用酸素ボンベ２の追跡管理情報を格納するトレーサビリティデータベース２１を備え、セキュリティが強固なデータセンター２２に設置される。
トレーサビリティデータベース２１には、地図データも格納される。
【００３６】
そして、前記ＩＣタグ３は、小型のＩＣチップ３ａと金属製のアンテナ３ｂとで構成され、ＩＣチップ３ａの中に組み込まれたメモリー（図示せず）内に、予め酸素ボンベ識別情報（図４に示す酸素ボンベ番号）、顧客情報（図４に示すお客様番号）及び酸素の充填年月日（図４に示す充填年月日）情報等が格納される。
ＩＣタグ３へのデータ登録については、営業所等拠点出荷時に専用のＩＣタグライター（図示せず）を用いて行なわれ、同内容の情報が管理端末８からセンターサーバー６が備えるトレーサビリティデータベース２１にアップロードされる。
【００３７】
更に、図２に示す如く、前記携帯電話５は、ＩＣタグリーダー４から情報を受信する受信手段３１と、キー部等の操作部を介して情報を入力させる入力手段３２と、ＧＰＳ等により位置情報を取得する位置情報取得手段３３と、受信情報及び入力情報をセンターサーバー６に送信する送信手段３４とを備えている。尚、前記入力手段３２、位置情報取得手段３３及び送信手段３４は、既存の携帯電話５に備わった機能をそのまま利用することができる。
【００３８】
前記センターサーバー６は、携帯電話５からの情報を受信する受信手段４１と、受信した情報に基づき、センターサーバー６が備えるトレーサビリティデータベース２１の情報を更新する更新手段４２と、更新した情報を管理端末８に送信する送信手段４３と、管理端末８から登録情報を受信すると、受信した登録情報に基づき、トレーサビリティデータベース２１に登録する登録手段４４と、管理端末８から情報を要求する要求情報を受信すると、要求情報に基づき、トレーサビリティデータベース２１から情報を抽出する抽出手段４５と、抽出した情報を管理端末８に送信する送信手段４３と、管理端末８から更新した情報を受信すると、受信した情報に基づき、トレーサビリティデータベース２１を更新する更新手段４２とを備えている。
【００３９】
前記管理端末８は、センターサーバー６から情報を受信する受信手段５１と、受信した情報を表示する表示手段５２とを備え、更に、医療用酸素ボンベ２の登録情報を作成する登録情報作成手段５３と、登録情報をセンターサーバー６に送信する送信手段５４と、センターサーバー６に対する要求情報を作成する要求情報作成手段５５と、要求情報をセンターサーバー６に送信する送信手段５４と、センターサーバー６から受信した情報を編集する編集手段５６と、センターサーバー６から受信した情報を更新する更新手段５７と、更新した情報をセンターサーバー６に送信する送信手段５４とを備えている。
【００４０】
次に、前記医療用酸素ボンベの追跡管理通信システム１の処理の流れを図１及び図２を参照しながら、図３に従って説明する。
先ず、医療用酸素ボンベ２の営業所等拠点出荷時に、専用のＩＣタグライタ（図示せず）を用いて医療用酸素ボンベ２に取付けられたＩＣタグ３への情報登録を行い（ステップＳ１）、同内容の情報を管理端末８からセンターサーバー６にアップロードする（ステップＳ２）。センターサーバー６は、管理端末８から登録情報を受信すると（ステップＳ３）、受信した登録情報をトレーサビリティデータベース２１に登録する（ステップＳ４）。
【００４１】
次に、医療用酸素ボンベ２は、対象の病院、救急車内、在宅患者宅等に設置され、この設置後に、作業員によって、医療用酸素ボンベ２に取付けられたＩＣタグ３がＩＣタグリーダー４によって読み取られると（ステップＳ１１）、読み取られた情報はブルーツースによる無線通信を介して携帯電話５に送信され（ステップＳ１２）、携帯電話５はＩＣタグリーダー４から情報を受信すると（ステップＳ１３）、受信したＩＣタグ情報を例えば図４に示す如く表示し（ステップＳ１４）、更に、携帯電話５の操作部５ａによって作業員が所定の情報、例えば、設置日時、設置場所、設置目的、設置作業員名、ボンベ圧等を入力すると（ステップＳ１５）、次に、携帯電話５が携帯電話５の位置情報を医療用酸素ボンベ２の位置情報として取得し（ステップＳ１６）、ＩＣタグリーダー４から受信した情報と、入力された情報と、取得した位置情報とをセンターサーバー６に送信する（ステップＳ１７）。
【００４２】
センターサーバー６は、携帯電話５からの情報を受信すると（ステップＳ１８）、受信した情報に基づき、トレーサビリティデータベース２１の情報を更新し、（ステップＳ１９）、更新情報を管理端末８へ送信する（ステップＳ２０）。その時、トレーサビリティデータベース２１から、更新情報に関連する地図データも抽出されて送信される。
【００４３】
管理端末８は、センターサーバー６から更新情報を受信すると（ステップＳ２１）、受信した情報を図１に示す如く、表示部８ａの表示画面８ｂに表示する（ステップＳ２２）。
表示画面８ｂには、受信した更新情報のほか、管理端末８が受信した位置情報と、地図データとを組み合わせて、地図８ｃ上に医療用酸素ボンベ２の現在位置を表示する。
表示した結果によって、必要な事項は、営業所等拠点に適宜連絡し、その位置情報も知らせると、営業所等拠点で医療用酸素ボンベ２の入替え等の現地対応が可能となる。
尚、前記処理のステップＳ１１からステップＳ２２までの処理は作業員のＩＣタグ３読取り作業が行なわれる度に繰り返し実行される。
【００４４】
又、管理端末８は、センターサーバー６に対して情報要求をすることも可能であり、その場合、取得したい情報名等を含む要求情報を作成し（ステップＳ３１）、作成した要求情報をセンターサーバー６に送信する（ステップＳ３２）。
【００４５】
センターサーバー６は、管理端末８から要求情報を受信すると（ステップＳ３３）、要求情報に基づき、トレーサビリティデータベース２１から情報を抽出し（ステップＳ３４）、抽出した情報を管理端末８に送信する（ステップＳ３５）。
【００４６】
管理端末８は、センターサーバー６から情報を受信すると（ステップＳ３６）、受信した情報を編集して種々の情報を作成することができる（ステップＳ３７）。又、センターサーバー６から受信した情報を更新することも可能であり（ステップＳ３８）、更新した情報はセンターサーバー６に送信する（ステップＳ３９）。
【００４７】
センターサーバー６は、管理端末８から更新した情報を受信すると（ステップＳ４０）、受信した情報に基づき、トレーサビリティデータベース２１を更新する（ステップＳ４１）。
【００４８】
図５に於いて、６１は、本発明の第２実施例の医療用酸素ボンベの追跡管理通信システムであり、医療用酸素ボンベの追跡管理通信システム６１は、医療用酸素ボンベ６２の残量をモニターすると共に、携帯電話通信網６３に接続自在の医療用酸素ボンベ残量モニター６４と、医療用酸素ボンベ残量モニター６４と携帯電話通信網６３を介して通信自在に接続されたセンターサーバー６５と、センターサーバー６５と通信自在に接続され、センターサーバー６５の情報を管理する管理端末６６とを備えている。
【００４９】
前記センターサーバー６５は、機密性及び通信品質に優れたＩＰ−ＶＡＮ（Internet Protocol-Virtual Private
Network）６７及び携帯電話通信網６３を介して、医療用酸素ボンベ残量モニター６５と接続されている。又、医療用酸素ボンベ６２の追跡管理情報を格納するトレーサビリティデータベース６８を備え、セキュリティが強固なデータセンター６９に設置される。トレーサビリティデータベース６８には、地図データも格納される。
更に、前記センターサーバー６５は、専用線７０を介して管理端末６６に接続される。
尚、図に於いて、７１は携帯電話基地局、７２は後述する携帯電話、７３は携帯電話７２がアクセス自在の携帯サイト、７４はインターネットである。
【００５０】
そして、図６に示すように、前記医療用酸素ボンベ残量モニター６４は、センターサーバー６５からモニター指示信号を受信する受信手段８１と、受信したモニター指示信号に基づき、医療用酸素ボンベの残量をモニターするモニター手段８２と、モニターした情報をセンターサーバー６５に送信する送信手段８３とを備えている。
更に、前記医療用酸素ボンベ残量モニター６４は、ＧＰＳ機能によって位置情報を取得する位置情報取得手段８４とを備え、位置情報を前記送信手段８３によってセンターサーバー６５に送信するように構成されている。
【００５１】
前記センターサーバー６５は、医療用酸素ボンベ残量モニター６４に対しモニター指示信号を送信するモニター指示信号送信手段９１と、医療用酸素ボンベ残量モニター６４からモニターした情報を受信する受信手段９２と、受信した情報に基づき、センターサーバー６５が備えるトレーサビリティデータベース６８の情報を更新する更新手段９３とを備え、更に、スケジュールを作成し、トレーサビリティデータベース６８に登録して管理するスケジュール管理手段９４を備え、前記モニター指示信号送信手段９１は、トレーサビリティデータベース６８に予め登録されたスケジュールに基づき、モニター指示信号を送信するように構成されている。
又、センターサーバー６５は、管理端末６６から、医療用酸素ボンベの残量測定要求信号を受信する受信手段９２を備え、前記モニター指示信号送信手段９１は、残量測定要求信号に基づき、モニター指示信号を送信するように構成されている。
【００５２】
更に、前記センターサーバー６５は、管理端末６６から登録情報を受信すると、受信した登録情報をトレーサビリティデータベース６８に登録する登録手段９５と、管理端末６６から情報を要求する要求情報を受信すると、要求情報に基づき、トレーサビリティデータベース６８から情報を抽出する抽出手段９６と、抽出した情報を管理端末６６に送信する送信手段９７と、管理端末６６から更新した情報を受信すると、受信した情報に基づき、トレーサビリティデータベース６８の該当情報を更新する更新手段９３とを備えている。
【００５３】
前記管理端末６６は、センターサーバー６５に医療用酸素ボンベの残量測定を要求するための残量測定要求信号を生成する残量測定要求信号生成手段１０１と、残量測定要求信号をセンターサーバー６５に送信する送信手段１０２とを備えている。
又、管理端末６６は、医療用酸素ボンベ６２の登録情報を作成する登録情報作成手段１０３と、登録情報をセンターサーバー６５に送信する送信手段１０２と、センターサーバー６５に対し情報を要求するための要求情報を作成する要求情報作成手段１０４と、要求情報をセンターサーバー６５に送信する送信手段１０２と、センターサーバー６５から受信した情報を編集する編集手段１０５と、センターサーバー６５から受信した情報を更新する更新手段１０６と、更新した情報をセンターサーバー６５に送信する送信手段１０２とを備えている。
【００５４】
次に、図５及び図６を参照しながら、図７に従って、前記医療用酸素ボンベの追跡管理通信システム６１の処理の流れを説明する。
医療用酸素ボンベ６２は、対象の病院、救急車内、在宅患者宅等に設置される前に、管理端末６６に於いて、登録情報が作成される（ステップＳ５１）。
その登録情報は管理端末６６からセンターサーバー６５にアップロードされ（ステップＳ５２）、センターサーバー６５はアップロードされた登録情報を受信すると（ステップＳ５３）、トレーサビリティデータベース６８に登録する（ステップＳ５４）。
【００５５】
又、センターサーバー６５は、スケジュール管理手段９４によって、医療用酸素ボンベ６２の残量をモニターするためのスケジュールが予め作成され、作成されたスケジュールをトレーサビリティデータベース６８に登録して管理し（ステップＳ６１）、登録されたスケジュールに基づき、医療用酸素ボンベ残量モニター６４に対し医療用酸素ボンベ６２の残量を測定するためのモニター指示信号を送信する（ステップＳ６２）。
【００５６】
医療用酸素ボンベ残量モニター６４は、センターサーバー６５からモニター指示信号を受信すると（ステップＳ６３）、受信したモニター指示信号に基づき、医療用酸素ボンベ６２の残量をモニター（測定）する（ステップＳ６４）。
更に、医療用酸素ボンベ残量モニター６４は、ＧＰＳ機能によって位置情報を取得する（ステップＳ６５）。尚、医療用酸素ボンベ残量モニター６４は、設置後、設置場所が変更されない場合は、医療用酸素ボンベ残量モニター６４、又は、医療用酸素ボンベ６２が設置された時に１回のみ位置情報の取得を行なっても良い。残量をモニターするためのスケジュールにそのように設定することも可能である。
そして、モニターした情報及び位置情報をセンターサーバー６５に送信する（ステップＳ６６）。
【００５７】
センターサーバー６５は、医療用酸素ボンベ残量モニター６４からモニターした情報及び位置情報を受信すると（ステップＳ６７）、受信した情報に基づき、トレーサビリティデータベース６８の情報を更新する（ステップＳ６８）。
更新された情報は、センターサーバー６５のトレーサビリティデータベース６８が格納する地図データと共に、管理端末６６に送信され（ステップＳ６９）、管理端末６６は更新情報を受信すると（ステップＳ７０）、その情報を図５に示す如く、表示部６６ａの表示画面６６ｂに表示する（ステップＳ７１）。
表示画面６６ｂには、更新情報と、医療用酸素ボンベ残量モニター６４、又は、医療用酸素ボンベ６２の設置場所が地図６６ｃ上に表示される。
【００５８】
又、前記管理端末６６は、センターサーバー６５に医療用酸素ボンベ６２の残量測定を要求することが可能であり、その残量測定要求信号が生成されると（ステップＳ８１）、残量測定要求信号をセンターサーバー６５に送信する（ステップＳ８２）。
【００５９】
センターサーバー６５は、管理端末６６から、医療用酸素ボンベ６２の残量測定要求信号を受信すると（ステップＳ８３）、残量測定要求信号に基づき、医療用酸素ボンベ残量モニター６４に対しモニター指示信号を送信する（ステップＳ８４）。
【００６０】
医療用酸素ボンベ残量モニター６４は、センターサーバー６５からモニター指示信号を受信すると（ステップＳ８５）、受信したモニター指示信号に基づき、医療用酸素ボンベ６２の残量をモニター（測定）する（ステップＳ８６）。
更に、医療用酸素ボンベ残量モニター６４は、ＧＰＳ機能によって位置情報を取得する（ステップＳ８７）。尚、医療用酸素ボンベ残量モニター６４は、原則的に設置場所が変更されないので、この場合、位置情報の取得を行なわなくても良い。残量測定要求信号に位置情報の取得を行なうか否かの信号を含めても良い。
そして、モニターした情報及び位置情報をセンターサーバー６５に送信する（ステップＳ８８）。
【００６１】
センターサーバー６５は、医療用酸素ボンベ残量モニター６４からモニターした情報及び位置情報を受信すると（ステップＳ８９）、受信した情報に基づき、トレーサビリティデータベース６８の情報を更新する（ステップＳ９０）。
更新された情報は、センターサーバー６５のトレーサビリティデータベース６８が格納する地図データと共に、管理端末６６に送信され（ステップＳ９１）、管理端末６６は更新情報を受信すると（ステップＳ９２）、その情報を図５に示す如く、表示部６６ａの表示画面６６ｂに表示する（ステップＳ９３）。
表示画面６６ｂには、更新情報と、医療用酸素ボンベ残量モニター６４、又は、医療用酸素ボンベ６２の設置場所が地図６６ｃ上に表示される。
【００６２】
又、管理端末６６は、センターサーバー６５に対する情報要求をすることも可能であり、その場合、情報要求のための要求情報を作成し（ステップＳ１０１）、作成した要求情報をセンターサーバー６５に送信する（ステップＳ１０２）。
【００６３】
センターサーバー６５は、管理端末６６から要求情報を受信すると（ステップＳ１０３）、要求情報に基づき、トレーサビリティデータベース６８から情報を抽出し（ステップＳ１０４）、抽出した情報を管理端末６６に送信する（ステップＳ１０５）。
【００６４】
管理端末６６は、センターサーバー６５から情報を受信すると（ステップＳ１０６）、受信した情報を編集して種々の情報を作成することができる（ステップＳ１０７）。又、センターサーバー６５から受信した情報を更新することも可能であり（ステップＳ１０８）、更新した情報はセンターサーバー６５に送信する（ステップＳ１０９）。
【００６５】
センターサーバー６５は、管理端末６６から更新した情報を受信すると（ステップＳ１１０）、受信した情報に基づき、トレーサビリティデータベース６８を更新する（ステップＳ１１１）。
【００６６】
又、本発明の第２実施例の医療用酸素ボンベの追跡管理通信システム６１は、センターサーバー６５に図６に示すＷｅｂサーバー手段９８を備え、Ｗｅｂサーバー手段９８は、図５に示す携帯サイト７３にトレーサビリティデータベース６８が格納する情報の一部をＷｅｂページ情報として提供し、許可された特定の携帯電話７２から携帯サイト７３にアクセスしてＷｅｂページ情報を閲覧することができるように構成されている。
【００６７】
図８に於いて、１１１は、本発明の第３実施例の医療用酸素ボンベの追跡管理通信システムであり、医療用酸素ボンベの追跡管理通信システム１１１は、前記医療用酸素ボンベの追跡管理通信システム（図１に於いて１）のＩＣタグ（図１に於いて３）及びシール状のＩＣタグ（図１に於いて１１）に代えて、ＵＨＦ帯ＩＣタグ１１２が医療用酸素ボンベ２に取付けられたものである。ＵＨＦ帯ＩＣタグ１１２は、８６０〜９６０ＭＨｚのＵＨＦ帯の周波数を利用するＩＣタグであり、電池を内蔵する「アクティブ型」で通信距離が数ｍ取れる利点がある。
【００６８】
そして、前記医療用酸素ボンベの追跡管理通信システム１１１は、前記ＵＨＦ帯ＩＣタグ１１２に対応させて、前記ＩＣタグリーダー（図１に於いて４）に代えて、ＵＨＦ帯ＩＣタグ１１２の情報を読み取るＵＨＦ帯ＩＣタグリーダー１１３を備え、ＵＨＦ帯ＩＣタグ１１３の読取りゲート１１４が営業所等の拠点等の医療用酸素ボンベ２の搬送通路に設けられる。読取りゲート１１４は、読取り結果を携帯通信網及び／又はインターネット等を介してセンターサーバー６に送信できるように構成されている。
【００６９】
更に、前記医療用酸素ボンベの追跡管理通信システム１１１は、内蔵電池を含む電源回路を有する通信モジュール１１５が取り付けられ、通信モジュール１１５にはＧＰＳ機能が備えられている。そして、通信モジュール１１５は、ＧＰＳ機能によって取得した位置情報を携帯通信網及びインターネット等を介してセンターサーバー６に送信できるように構成されている。
前記ＧＰＳ機能を備えた通信モジュール１１５によって、医療用酸素ボンベ２の位置を把握することができ、医療用酸素ボンベ２の盗難等も防止することができる。
【図面の簡単な説明】
【００７０】
【図１】本発明による第１実施例の医療用酸素ボンベの追跡管理通信システムを概略的に示す説明図である。
【図２】本発明による第１実施例の医療用酸素ボンベの追跡管理通信システムの主な機能を示す説明図である。
【図３】本発明による第１実施例の医療用酸素ボンベの追跡管理通信システムの処理の流れを示す説明図である。
【図４】本発明による第１実施例の医療用酸素ボンベの追跡管理通信システムのＩＣタグ情報の取得と、取得されたＩＣタグ情報の表示例を示す説明図である。
【図５】本発明による第２実施例の医療用酸素ボンベの追跡管理通信システムを概略的に示す説明図である。
【図６】本発明による第２実施例の医療用酸素ボンベの追跡管理通信システムの主な機能を示す説明図である。
【図７】本発明による第２実施例の医療用酸素ボンベの追跡管理通信システムの処理の流れを示す説明図である。
【図８】本発明による第３実施例の医療用酸素ボンベの追跡管理通信システムを概略的に示す説明図である。
【符号の説明】
【００７１】
１，６１，１１１  医療用酸素ボンベの追跡管理通信システム
２，６２  医療用酸素ボンベ
３  ＩＣタグ
４  ＩＣタグリーダー
５  携帯電話
６，６５  センターサーバー
８，６６  管理端末
２１，６８  トレーサビリティデータベース
６３  携帯電話通信網
６４  医療用酸素ボンベ残量モニター
１１２  ＵＨＦ帯ＩＣタグ
１１３  読取りゲート
１１４  通信モジュール
【図１】
2008276275.tif 000003
【図２】
2008276275.tif 000004
【図３】
2008276275.tif 000005
【図４】
2008276275.tif 000006
【図５】
2008276275.tif 000007
【図６】
2008276275.tif 000008
【図７】
2008276275.tif 000009
【図８】
2008276275.tif 000010